(57)【要約】【課題】大容量の記録メディアを使用した番組記録再生装置において、多量に録画された番組から毎日又は毎週同時刻に放送された連続番組を続けて見たいときの利便性と、見終わった番組の消去に関する操作性とを改善した番組記録再生装置を提供する。【解決手段】記録した番組と同一の連続番組で前回記録された番組記録情報を検索する番組情報管理部（１７）と、番組情報管理部で検索された番組記録情報に新たに記録した番組の番組記録情報を連結した番組記録情報を作成する番組連結部（１８）とを備えると共に、記録されている番組の再生を行ない途中で停止した場合に、再生した部分の番組を削除するか否かのガイド画面を表示させる消去制御部（１９）とを備えた番組記録再生装置とする。【選択図】図１
2006332740.tif 000002
【特許請求の範囲】
【請求項１】
放送された番組の記録と前記番組の記録位置情報を含む番組記録情報の記録とを一組として記録媒体に対して毎回行ない、再生時は前記番組記録情報に基づいて記録されている前記番組の内から特定の回の再生を行う番組記録再生装置において、
前記記録媒体に記録されている前記番組と毎回放送され同一の連続番組で前回前記記録媒体に記録された番組記録情報を検索する番組情報管理手段と、
前記番組情報管理手段で検索された前記番組記録情報に、前記記録媒体に記録されている前記番組の番組記録情報を連結した番組記録情報を作成する番組連結手段と、
を備えたことを特徴とする番組記録再生装置。
【請求項２】
放送された番組の記録と前記番組の記録位置情報を含む番組記録情報の記録とを記録媒体に行ない、再生時は前記番組記録情報に基づいて記録されている前記番組の再生を行う番組記録再生装置において、
記録した前記番組と同一の連続番組で過去に記録された番組記録情報を検索する番組情報管理手段と、
前記番組情報管理手段で検索された前記番組記録情報と、記録した前記番組の番組記録情報とを連結して単一の番組としてプレイリストを作成するプレイリスト作成手段と、
を備えたことを特徴とする番組記録再生装置。
【請求項３】
放送された番組の記録と前記番組の記録位置情報を含む番組記録情報の記録とを記録媒体に行ない、再生時は前記番組記録情報に基づいて記録されている前記番組の再生を行う番組記録再生装置において、
前記記録媒体に記録されている番組の再生を行ない途中で停止した場合に、前記再生した部分の番組を削除するか否かのガイド画面を表示させる消去制御手段を備えたことを特徴とする番組記録再生装置。
【発明の詳細な説明】
【技術分野】
【０００１】
本発明は、番組記録再生装置に係り、特に、多数の放送番組を録画したものを再生する際の番組選択の利便性を改良した番組記録再生装置に関する。
【背景技術】
【０００２】
近年、従来のテレビ放送にＢＳ（Broadcast Satellite）放送やＣＳ（Communication Satellite）放送等が加わり、テレビ番組が多様化されてきたのに合わせて、番組記録再生装置のタイマー録画予約機能も使い勝手をよくする工夫が数多く提案されている（例えば、特許文献１参照）。
【０００３】
特許文献１では、使用者が見たい番組に関するキーワードを入力することで、ＣＳ放送の多数チャンネルの中からキーワードが一致する番組を自動的に選択し、簡単で確実に録画予約する手段が提供されている。更に、毎日又は毎週同時刻に放送される連続番組も一度の設定で継続して録画予約できる手段も提供されている。
【０００４】
一方、番組記録再生装置は、記録メディアに大容量のハードディスクを使用して多量のテレビ番組を録画できる装置が普及してきている。このような、ハードディスクを使用した記録再生装置の使い勝手の面で、これまでのビデオカセットを用いた録画再生装置と大きく異なる点の一つは、ハードディスクを使用した記録再生装置では、記録した番組を装置内部に大量に保存して置き、再生するときに使用者は、画面に表れた保存番組の一覧表から見たい番組を選択する操作を行うようにしていることである。
【０００５】
ハードディスクを使用した記録再生装置の一例として、内蔵するハードディスクの容量が２５０ＧＢ（ギガバイト）のものでは、標準モードで１００時間以上、長時間モードでは２００時間以上が記録できるので、装置内部に保存できる番組数は数十本から数百本と膨大な数になる。
【特許文献１】特開平１１−１８７３２８号公報
【発明の開示】
【発明が解決しようとする課題】
【０００６】
上記したように、大容量のハードディスクを使用した番組記録再生装置では、録画した番組を再生するに当り、まず保存番組リストを呼び出し、その中から再生したい番組を選択する必要がある。しかし、録画した番組数が数十本から数百本になると、その中から特定の番組を見つけ出すのは大変である。
【０００７】
ことに、毎日又は毎週同時刻に放送される比較的短時間の連続番組を続けて見たいときに、１本見終わる毎に番組リストを呼び出したり、又、そのリストもその間に他の番組が録画されていると順番に並んで表示されないために、続きの番組を探したりするなど不便なことが多い。また、見終わった番組の消去についても、通常はその番組全体を消去するが、長い番組の場合には少しでも記録領域を確保するために、途中の見終わったところまで消去したくとも、従来はできない不便さがあった。
【０００８】
このように、近年録画予約については使用者の使い勝手をよくする工夫が数多く提案されているが、しかしながら、録画した番組を再生するときの使用者の利便性はあまり図られていない。前記特許文献１も再生時の操作性の改良に関しては何ら触れられていないものである。
【０００９】
本発明は、このような従来の問題点に鑑みなされたものであり、その目的は、大容量の記録メディアを使用した番組記録再生装置において、多量に録画された番組から毎日又は毎週同時刻に放送された連続番組を続けて見たいときの利便性と、見終わった番組の消去に関する操作性とを改善した番組記録再生装置を提供するものである。
【課題を解決するための手段】
【００１０】
本発明は、上記課題を解決する手段として以下の（１）ないし（３）に記載の構成からなる。すなわち、
（１）放送された番組の記録と前記番組の記録位置情報を含む番組記録情報の記録とを記録媒体に行ない、再生時は前記番組記録情報に基づいて記録されている前記番組の再生を行う番組記録再生装置において、
記録した前記番組と同一の連続番組で前回記録された番組記録情報を検索する番組情報管理手段（１７）と、
前記番組情報管理手段で検索された前記番組記録情報に、記録した前記番組の番組記録情報を連結した番組記録情報を作成する番組連結手段（１８）と、を備えたことを特徴とする番組記録再生装置。
（２）放送された番組の記録と前記番組の記録位置情報を含む番組記録情報の記録とを記録媒体に行ない、再生時は前記番組記録情報に基づいて記録されている前記番組の再生を行う番組記録再生装置において、
記録した前記番組と同一の連続番組で過去に記録された番組記録情報を検索する番組情報管理手段（１７）と、
前記番組情報管理手段で検索された前記番組記録情報と、記録した前記番組の番組記録情報とを連結して単一の番組としてプレイリストを作成するプレイリスト作成手段（２０）と、を備えたことを特徴とする番組記録再生装置。
（３）放送された番組の記録と前記番組の記録位置情報を含む番組記録情報の記録とを記録媒体に行ない、再生時は前記番組記録情報に基づいて記録されている前記番組の再生を行う番組記録再生装置において、
前記記録媒体に記録されている番組の再生を行ない途中で停止した場合に、前記再生した部分の番組を削除するか否かのガイド画面を表示させる消去制御手段（１９）を備えたことを特徴とする番組記録再生装置である。
【発明の効果】
【００１１】
本発明によれば、請求項１又は２記載の格別の構成により、大容量の記録メディアを使用した番組記録再生装置で、多量に録画された番組から毎日又は毎週同時刻に放送された連続番組を続けて見るとき、１本の番組を見終わる毎に保存番組リストを呼び出し、大量のリストの中から次の番組を探し出して選択する手間がなくなるので、番組の視聴に没頭できるなどの快適な操作性が可能となる。更に、請求項３記載の格別の構成により、ガイド画面に応ずることで途中まで見た番組を簡単な操作で消去できるので、記録メディアを有効に利用することが可能となる効果がある。
【発明を実施するための最良の形態】
【００１２】
以下、本発明に係る番組記録再生装置の実施形態について、図面を参照して説明する。
図１は本発明に係る番組記録再生装置の一実施例を示すブロック図、図２はＩＦＯ情報の連結動作を示したフローチャートとＩＦＯ情報の表、図３はプレイリストの連結を示したフローチャートとＩＦＯ情報及びプレイリストの表、図４は番組の部分消去動作を示したフローチャートとＩＦＯ情報の表である。
【００１３】
まず、図１に示す本発明に係る番組記録再生装置の構成を説明する。
チューナ（図示せず）で受信して得た記録番組の画像音声信号は、記録回路１１に入力され、ここで記録メディア１２の記録に相応しい形態の記録信号に変換される。
記録メディア１２は大容量のハードディスクで構成されており、内部は番組を記録再生するコンテンツ記録部１３と番組記録情報であるＩＦＯ情報（番組情報や番組の記録位置の情報）を記録再生するＩＦＯ情報記録部１４に分かれている。上記記録回路１１からの記録信号はコンテンツ記録部１３に記録される。コンテンツ記録部１３に記録された画像音声の記録信号は、再生時に読み出されて再生回路１５で元の画像音声信号に復号され外部の表示装置（図示せず）等に供給される。
【００１４】
一方、外部からタイマー予約情報やＥＰＧ情報（Electronic Programming Guide）を受けた録画番組情報部１６では、記録を行う番組の番組情報を選択して番組情報管理部１７に供給する。
番組情報管理部１７は、ＩＦＯ情報記録部１４へのＩＦＯ情報の記録又は再生を管理するところであるが、この部分の動作の詳細は後述する。
番組連結部１８は、番組情報管理部１７から供給されたＩＦＯ情報を加工する部分、消去制御部１９は、コンテンツ記録部１３に記録されている番組の消去を制御する部分であるがこれらの詳細も後述する。
【００１５】
プレイリスト作成部２０は、番組情報管理部１７からのＩＦＯ情報を受けてプレイリストを作成する部分である。通常は使用者の入力によりＣＰＵ２１を介して再生する番組の順序をリスト化し表示信号を作成する部分である。
【００１６】
次に、本発明に係る番組記録再生装置の第１の実施形態について、図２を併用して説明する。第１の実施形態は、記録する番組が毎日又は毎週同時刻に放送されるいわゆる連続番組である場合に、番組情報管理部１７がＩＦＯ情報を記録するときの特徴ある実施形態である。
番組の記録が終了したとき、記録した番組がタイマー録画予約の毎日又は毎週記録の設定であった場合、番組情報管理部１７は、記録した番組と同一の連続番組で前回記録されたＩＦＯ情報をＩＦＯ情報記録部１４から検索する。検索された前回記録されたＩＦＯ情報と今回のＩＦＯ情報を番組連結部１８に供給し、番組連結部１８は、２つのＩＦＯ情報を連結して、あたかも１つの番組のＩＦＯ情報のように編集する。次に、番組情報管理部１７は、この新しいＩＦＯ情報を更新記録する。
【００１７】
図２は上記第１の実施形態の動作状態をフローチャートで示したものである。
同図において、まず、記録終了時に番組情報管理部１７は、今回の記録番組のＩＦＯ情報を作成する（ステップＳ２１）。
次いで、記録がタイマー録画予約による毎日又は毎週記録の設定であったかを判定する（ステップＳ２２）。
ＹＥＳの場合、次に、前回記録した番組のＩＦＯ情報と今回のＩＦＯ情報を編集して、一つの番組となるように番組連結部１８で結合する（ステップＳ２３）。
更に、ＩＦＯ情報上の結合位置にマーカーをつけてＩＦＯ情報を記録更新する（ステップＳ２４）。
【００１８】
このときのＩＦＯ情報の変化状態を表にして示したのが同図の表Ａと表Ｂである。この表では、表ＡのTitle 2とTitle 3が連続番組で、本来、夫々のＩＦＯ情報は独立しているのであるが、本実施形態の動作により表Ｂの如くTitle 3はTitle 2に併合され、あたかも１つの番組になったように管理されることを示している。なお、マーカーはTitle 3の始まりを直接指定する場合に用いるために印を付けておくものである。
【００１９】
以上詳述した第１の実施形態により、再生時にはＩＦＯ情報に基づいて番組が再生されるので、多量に録画された番組から連続番組を続けて見るとき、従来のように１本の番組を見終わる毎に番組リストを呼び出し大量のリストの中から次の番組を探し出して選択する手間をかけることなく連続して再生できるようになる。
【００２０】
次に、本発明に係る番組記録再生装置の第２の実施形態について、図３を併用して説明する。第２の実施形態は、記録する番組が毎日又は毎週同時刻に放送されるいわゆる連続番組である場合に、ＩＦＯ情報は従来どおり記録しておき、番組の再生順序を指定するプレイリスト上で、予め連続番組を１つの番組として結合しておくものである。
【００２１】
この動作について図３を用いて説明する。
同図において、まず、記録終了時に番組情報管理部１７は、今回の記録番組のＩＦＯ情報を作成する（ステップＳ３１）。
次いで、記録がタイマー録画予約による毎日又は毎週記録の設定であったかを判定する（ステップＳ３２）。
ＹＥＳの場合、次に、これまでに記録し消去せずに残っている同一番組のＩＦＯ情報と今回のＩＦＯ情報を編集して一つの番組となるように結合したプレイリストをプレイリスト作成部２０で作成する（ステップＳ３３）。
更に、プレイリスト上の結合位置にマーカーをつけてプレイリストを更新する（ステップＳ３４）。
【００２２】
このときのＩＦＯ情報とプレイリストを示したのが同図の表Ａと表Ｂである。この表では、表ＡのTitle 2とTitle 3が連続番組で、本来、夫々のＩＦＯ情報は独立しているのでプレイリストも別個のものであるが、本実施形態の動作により表Ｂの如くTitle 2とTitle 3は併合され、あたかも１つの番組になったようにPlay list１として管理されることを示している。なお、マーカーはTitle 3の始まりを直接再生する場合に用いるために印を付けておくものである。
【００２３】
以上詳述した第２の実施形態により、再生時にはプレイリストに基づいて番組が再生されるので、前記連続番組を選択した場合には、まだ見ていない過去の分から今回記録分までが連続して再生できるようになる。
これにより多量に録画された番組から連続番組を続けて見るとき、従来のように１本の番組を見終わる毎に番組リストを呼び出し大量のリストの中から次の番組を探し出して選択する手間をかけることなく連続して再生できるようになる。
【００２４】
なお、プレイリストによる連続番組の結合は、前記第１の実施例による結合と異なりＩＦＯ情報記録部１４には結合されたＩＦＯ情報は記録せず、通常の単独の番組として記録する。このため記録した番組は通常記録の場合と同様に１番組ずつ独立して存在することができるので、第２の実施形態では番組の保存用途と視聴の利便性を同時に得ることが可能となる。
【００２５】
次に、記録されている番組の消去に関する本発明の実施形態について、図４を用いて説明する。本実施形態は、記録されている番組が長くて、一度に全部を鑑賞できない場合に数回に分けて再生したとき、これまでに見終わった部分を消去する機能に関するものである。
【００２６】
同図において、番組を再生開始後、使用者が途中で停止をする（ステップＳ４１）。この停止位置は、同図の表Ａに示したＩＦＯ情報では※印の位置であるとする。
すると、表示画面には、「見終わった部分を削除しますか？」と言うガイド画面が表示される（ステップＳ４２）。このガイド画面の表示は、図１に示す消去制御部１９からの制御で行われる。
このガイド表示を見て、使用者は「はい」「いいえ」のいずれかを選択する（ステップＳ４３）。「はい」が選択された場合には、消去制御部１９からの制御で、番組のこれまでに再生された部分を削除すると共に、ＩＦＯ情報を更新記録する（ステップＳ４４）。
更新されたＩＦＯ情報は、表Ｂに示すように、前記表Ａの※印から上の位置情報が削除されたものである。このＩＦＯ情報の更新により、再度この番組を再生したときには停止位置からの続きを再生することができる。
【００２７】
以上詳述したように、番組の消去に関する本発明の実施形態では、使用者の操作に伴って、分りやすいガイド画面を表示するので、番組の部分消去が簡単にできるようになる。これにより、記録メディア１２の記録領域が回復し、更に多くの番組記録が可能となる。
【００２８】
なお、図１に示す本発明に係る番組記録再生装置の構成においては、記録メディア１２を大容量ハードディスクとして説明したが、本発明はこれに限ることなく、例えば、書換え可能な光ディスクや大容量の半導体メモリであっても実施は可能である。
【図面の簡単な説明】
【００２９】
【図１】本発明に係る番組記録再生装置の一実施例を示すブロック図である。
【図２】ＩＦＯ情報の連結動作を示したフローチャートとＩＦＯ情報の表である。
【図３】プレイリストの連結を示したフローチャートとＩＦＯ情報及びプレイリストの表である。
【図４】番組の部分消去動作を示したフローチャートとＩＦＯ情報の表である。
【符号の説明】
【００３０】
１１…記録回路
１２…記録メディア
１３…コンテンツ記録部
１４…ＩＦＯ情報記録部
１５…再生回路
１６…録画番組情報部
１７…番組情報管理部
１８…番組連結部
１９…消去制御部
２０…プレイリスト作成部
２１…ＣＰＵ
【図１】
2006332740.tif 000003
【図２】
2006332740.tif 000004
【図３】
2006332740.tif 000005
【図４】
2006332740.tif 000006